(57)【要約】【課題】ヘッドホンの未使用時にヘッドホン用アンプをミュート状態にすることで消費電力の削減を図れるヘッドホン検知回路を得る。【解決手段】ミュート制御部ＣＢは、ヘッドホンジャックＨＪ１にヘッドホンのプラグが挿入されているときは、検知信号に基づいてスピーカ用アンプＩＣ１をミュート状態にすると共にヘッドホン用アンプＩＣ２を非ミュート状態にし、ヘッドホンジャックＨＪ１にヘッドホンのプラグが挿入されていないときは、検知信号に基づいてスピーカ用アンプＩＣ１を非ミュート状態にすると共にヘッドホン用アンプＩＣ２をミュート状態にする。【選択図】        図２
2007312030.tif 000002
【特許請求の範囲】
【請求項１】
オーディオ信号が入力されスピーカを駆動するスピーカ用アンプと、
オーディオ信号が入力されヘッドホンを駆動するヘッドホン用アンプと、
前記ヘッドホン用アンプの出力に接続されるヘッドホンジャックと、
前記ヘッドホンジャックにヘッドホンのプラグが挿入されたことを検知するヘッドホンプラグ挿入検知部と、
前記ヘッドホンプラグ挿入検知部の検知信号に基づいて前記スピーカ用アンプと前記ヘッドホン用アンプのミュート状態を制御するミュート制御部とを備え、
前記ミュート制御部は、
前記ヘッドホンジャックにヘッドホンのプラグが挿入されているときは、前記検知信号に基づいて前記スピーカ用アンプをミュート状態にすると共に前記ヘッドホン用アンプを非ミュート状態にし、
前記ヘッドホンジャックに前記ヘッドホンのプラグが挿入されていないときは、前記検知信号に基づいて前記スピーカ用アンプを非ミュート状態にすると共に前記ヘッドホン用アンプをミュート状態にする
ことを特徴とするヘッドホン検知回路。
【請求項２】
前記ヘッドホン挿入検知部として、前記ヘッドホンジャックに設けられたオーディオ信号切り替えスイッチを用いる
ことを特徴とする請求項１に記載のヘッドホン検知回路。
【請求項３】
前記ミュート制御部は、前記スピーカ用アンプと前記ヘッドホン用アンプの入力とグランドとの間にそれぞれ設けられたトランジスタをオン／オフすることにより前記スピーカ用アンプと前記ヘッドホン用アンプヘッドホン用アンプをそれぞれミュート状態／非ミュート状態にする
ことを特徴とする請求項１または２に記載のヘッドホン検知回路。
【発明の詳細な説明】
【技術分野】
【０００１】
この発明は、スピーカとヘッドホンを駆動するアンプをそれぞれ備える装置に設けられ、ヘッドホン使用時にこれを検知してスピーカ音を消すヘッドホン検知回路に関するものである。
【背景技術】
【０００２】
図１は従来提案されているヘッドホン検知回路の回路図である。図１のヘッドホン検知回路において、ヘッドホンジャックＨＪ０としてプラグ検知端子付きヘッドホンジャックが用いられている。ヘッドホンジャックＨＪ０には、オーディオ信号を出力してヘッドホンを駆動するためのグランド端子４及び出力端子５の他に、ヘッドホンのプラグが挿入されているか否かの検知信号を得るための第１のプラグ検知端子（接点）６及び第２のプラグ検知端子（接点）７が設けられている。第１のプラグ検知端子６及び第２のプラグ検知端子７は、内部のメカニカルなスイッチから延出されてプラグの抜き差しによりオン・オフする。
【０００３】
オーディオ信号の入力端子ａは、抵抗Ｒ３を介してスピーカ用アンプＩＣ１の入力に接続され、さらにミュート回路ＭＵＴＥを構成するトランジスタＴｒを介してグランドに接続されている。オーディオ信号の入力端子ａは、また抵抗Ｒ４を介してヘッドホン用アンプＩＣ２の入力にも接続されている。ヘッドホン用アンプＩＣ２の出力はＤＣカット用のキャパシタＣ１を介してヘッドホンジャックＨＪ０の出力端子５に接続されている。
【０００４】
ヘッドホンジャックＨＪ０の第２のプラグ検知端子７は、プルアップ抵抗Ｒ２と、コントロールブロックＣＢ０の入力端子ＩＮに接続されている。コントロールブロックＣＢ０の出力ＯＵＴは、ミュート回路ＭＵＴＥを構成するトランジスタＴｒのベース端子に接続されている。コントロールブロックＣＢ０はバッファにより構成される。
【０００５】
次に動作を説明する。ヘッドホンジャックＨＪ０にプラグが挿入されていないとき、第２のプラグ検知端子７は、第１のプラグ検知端子６を介してグランドに接続されているため、コントロールブロックＣＢ０の入力端子ＩＮにはＬＯＷレベルの電圧が供給される。このとき、コントロールブロックＣＢ０は出力端子ＯＵＴにＬＯＷレベルの電圧を出力するようにされている。これにより、ミュート回路ＭＵＴＥのトランジスタＴｒがオフとなり、スピーカ用アンプＩＣ１からオーディオ信号が出力されてスピーカＳＰが駆動する。
【０００６】
一方、ヘッドホンジャックＨＪ０にプラグが挿入されているとき、ヘッドホンジャックＨＪ０の第２のプラグ検知端子７は内部にて第１のプラグ検知端子６から離れ開放される。第２のプラグ検知端子７には、プルアップ抵抗Ｒ２が接続されているため、コントロールブロックＣＢ０の入力端子ＩＮにはＨＩレベルの電圧が供給される。このとき、コントロールブロックＣＢ０は出力端子ＯＵＴにＨＩレベルの電圧を出力するようにされている。これにより、ミュート回路ＭＵＴＥのトランジスタＴｒがオンとなり、スピーカ用アンプＩＣ１からオーディオ信号が出力されないため、スピーカＳＰは駆動しない（例えば、特許文献１参照）。
【０００７】
【特許文献１】特開２００１−８２８３号公報
【発明の開示】
【発明が解決しようとする課題】
【０００８】
しかしながら、上述の特許文献１に記載のヘッドホン検知回路においては、ヘッドホンの未使用時にヘッドホン用アンプＩＣ２をミュート状態にしていない。そのため、消費電力が増してしまうばかりか、ＤＣカット用のキャパシタＣ１が劣化することがあるので改善が求められていた。
【０００９】
この発明は上述のような課題を解決するためになされたもので、ヘッドホンの未使用時にヘッドホン用アンプをミュート状態にすることで、消費電力の削減を図るとともにＤＣカット用のキャパシタの劣化を抑制するヘッドホン検知回路を得ることを目的とする。
【課題を解決するための手段】
【００１０】
上述の課題を解決するために、この発明に係るヘッドホン検知回路おいては、ミュート制御部が、ヘッドホンジャックにヘッドホンのプラグが挿入されているときは、検知信号に基づいてスピーカ用アンプをミュート状態にすると共にヘッドホン用アンプを非ミュート状態にし、ヘッドホンジャックにヘッドホンのプラグが挿入されていないときは、検知信号に基づいてスピーカ用アンプを非ミュート状態にすると共にヘッドホン用アンプをミュート状態にすることを特徴とする。
【発明を実施するための最良の形態】
【００１１】
以下に、本発明にかかるヘッドホン検知回路の実施の形態を詳細に説明する。なお、この実施の形態によりこの発明が限定されるものではない。以下では、本発明のヘッドホン検知回路の概略と特徴を実施の形態として説明し、その後にヘッドホン検知回路に関する実施例を説明する。
【００１２】
［実施の形態］
本実施の形態のヘッドホン検知回路は、オーディオ信号が入力されスピーカを駆動するスピーカ用アンプと、オーディオ信号が入力されヘッドホンを駆動するヘッドホン用アンプと、ヘッドホン用アンプの出力に接続されるヘッドホンジャックと、前記ヘッドホンジャックにヘッドホンのプラグが挿入されたことを検知するヘッドホンプラグ挿入検知部と、ヘッドホンプラグ挿入検知部の検知信号に基づいてスピーカ用アンプとヘッドホン用アンプのミュート状態を制御するミュート制御部とを備えている。
【００１３】
そして、ミュート制御部は、ヘッドホンジャックにヘッドホンのプラグが挿入されているときは、検知信号に基づいてスピーカ用アンプをミュート状態にすると共にヘッドホン用アンプを非ミュート状態にし、ヘッドホンジャックにヘッドホンのプラグが挿入されていないときは、検知信号に基づいてスピーカ用アンプを非ミュート状態にすると共にヘッドホン用アンプをミュート状態にする。
【００１４】
本実施の形態のヘッドホン検知回路によれば、ヘッドホンの未使用時にヘッドホン用アンプをミュート状態にすることで消費電力の削減を図ることができる。
【００１５】
また、本実施の形態のヘッドホン検知回路においては、ヘッドホン挿入検知部として、ヘッドホンジャック内に設けられたオーディオ信号切り替えスイッチを用いる。これにより、ヘッドホンジャックを内部回路や端子数の少ないものとすることができ、小型化を図ることができる。
【００１６】
また、本実施の形態のヘッドホン検知回路においては、ミュート制御部は、スピーカ用アンプとヘッドホン用アンプの入力とグランドとの間にそれぞれ設けられたトランジスタをオン／オフすることによりスピーカ用アンプとヘッドホン用アンプをそれぞれミュート状態／非ミュート状態にする。すなわち、ミュート回路をトランジスタにて実現することができるので、回路の小型化を図ることができる。
【実施例】
【００１７】
実施例１．
図２はこの発明の実施例１のヘッドホン検知回路の回路図である。図２に示す本実施例のヘッドホン検知回路においては、ヘッドホンジャックＨＪ１として、オーディオ信号切り替えスイッチ付きのヘッドホンジャックが用いられている。ヘッドホンジャックＨＪ１には、グランド端子１と、オーディオ信号をヘッドホンに対して出力するための出力端子２と、プラグの抜き差し動作により出力端子２と接離するオーディオ信号切り替えスイッチ端子３とが設けられている。
【００１８】
ヘッドホン検知回路は、また、入力端子ａから入力されたオーディオ信号が入力され、このオーディオ信号を増幅してスピーカＳＰを駆動するスピーカ用アンプＩＣ１と、同じく、入力端子ａから入力されたオーディオ信号が入力され、このオーディオ信号を増幅してヘッドホンジャックＨＪ１に挿入されたヘッドホンを駆動するヘッドホン用アンプＩＣ２とを有している。
【００１９】
さらに、ヘッドホン検知回路は、上述のヘッドホンジャックＨＪ１の出力端子端子２に接続されたプルダウン抵抗Ｒ１と、ヘッドホンジャックＨＪ１のオーディオ信号切り替えスイッチ端子（以降、単にスイッチ端子）３に接続されたプルアップ抵抗Ｒ２と、スピーカ出力をミュートする第１のミュート回路ＭＵＴＥ１と、ヘッドホン出力をミュートする第２のミュート回路ＭＵＴＥ２と、これらをコントロールするマイコン等からなるコントロールブロックＣＢとを有している。本実施例においては、コントロールブロックＣＢは２つのインバータ（ＮＡＮＤ）を直列接続した構成をあるいは機能を備え、第１および第２出力ＯＵＴ１、ＯＵＴ２を導出する。
【００２０】
図２に沿いさらに詳細に説明する。オーディオ信号の入力端子ａは、抵抗Ｒ３を介してスピーカ用アンプＩＣ１の入力に接続され、さらに第１のミュート回路ＭＵＴＥ１を構成するトランジスタＴｒ１を介してグランドに接続されている。このトランジスタＴｒ１は、スピーカ用アンプＩＣ１の入力（抵抗Ｒ３よりスピーカ用アンプＩＣ１側）とグランドとの間に接続されている。
【００２１】
オーディオ信号の入力端子ａは、また、抵抗Ｒ３の前段にて分岐した後、抵抗Ｒ４を介してヘッドホン用アンプＩＣ２の入力に接続され、さらに第２のミュート回路ＭＵＴＥ２を構成するトランジスタＴｒ２を介してグランドに接続されている。このトランジスタＴｒ１は、ヘッドホン用アンプＩＣ２の入力（抵抗Ｒ４よりヘッドホン用アンプＩＣ２側）とグランドとの間に接続されている。
【００２２】
スピーカ用アンプＩＣ２の出力はスピーカＳＰに接続されている。ヘッドホン用アンプＩＣ２の出力はＤＣカット用のキャパシタＣ１を介してヘッドホンジャックＨＪ１の出力端子２に接続されているとともにプルダウン抵抗（１ｋΩ）Ｒ１に接続されている。このプルダウン抵抗Ｒ１は、キャパシタＣ１と出力端子２との接続点とグランドとの間に接続されている。
【００２３】
ヘッドホンジャックＨＪ１のスイッチ端子３は、プルアップ抵抗（１００ｋΩ）Ｒ２と、コントロールブロックＣＢの入力端子ＩＮに接続されている。プルアップ抵抗Ｒ２は、スイッチ端子３と入力端子ＩＮとの接続点と＋Ｂ端子との間に接続されている。コントロールブロックＣＢの第１の出力（正論理）ＯＵＴ１は、第１のミュート回路ＭＵＴＥ１を構成するトランジスタＴｒ１のベース端子に接続されている。コントロールブロックＣＢの第２の出力（負論理）ＯＵＴ２は、第２のミュート回路ＭＵＴＥ２を構成するトランジスタＴｒ２のベース端子に接続されている。
【００２４】
次に動作を説明する。ヘッドホンジャックＨＪ１にヘッドホンのプラグが挿入されていないとき、ヘッドホンジャックＨＪ１のスイッチ端子３は内部で出力端子２と短絡している。出力端子２にはプルダウン抵抗Ｒ１が接続されているためプルアップ抵抗Ｒ２との分圧動作により、コントロールブロックＣＢの入力端子ＩＮにはＬＯＷレベルの電圧が供給される。このとき、コントロールブロックＣＢの第１の出力端子ＯＵＴ１には２つのインバータにて正論理に戻されたＬＯＷレベルの電圧、第２の出力端子ＯＵＴ２には論理反転されたＨＩレベルの電圧が出力されるようにコントロールされる。
【００２５】
コントロールブロックＣＢの第１の出力端子ＯＵＴ１がＬＯＷレベルなので、第１のミュート回路ＭＵＴＥ１がオフとなり（トランジスタＴｒ1がオフ）、スピーカ用アンプＩＣ１からオーディオ信号が出力されてスピーカＳＰが駆動する。一方、コントロールブロックＣＢの第２の出力端子ＯＵＴ２がＨＩレベルなので、第２のミュート回路ＭＵＴＥ２がオンとなり（トランジスタＴｒ２がオン）、ヘッドホン用アンプＩＣ２からオーディオ信号が出力されないため、抵抗Ｒ１にかかる電圧が変動しない。
【００２６】
これに対して、ヘッドホンジャックＨＪ１にヘッドホンプラグが挿入されているとき、ヘッドホンジャックＨＪ１のスイッチ端子３は内部にて出力端子２から離れて開放される。スイッチ端子３には、プルアップ抵抗Ｒ２が接続されているため、コントロールブロックＣＢの入力端子ＩＮにはＨＩレベルの電圧が供給される。このとき、コントロールブロックＣＢの第１の出力端子ＯＵＴ１は正論理に戻されたＨＩレベルの電圧、第２の出力端子ＯＵＴ２には論理反転されたＬＯＷレベルの電圧が出力されるようにコントロールされる。
【００２７】
コントロールブロックＣＢの第１の出力端子ＯＵＴ１がＨＩレベルなので、第１のミュート回路ＭＵＴＥ１がオンとなり、スピーカ用アンプＩＣ１からオーディオ信号が出力されずスピーカＳＰは駆動しない。一方、コントロールブロックＣＢの第２の出力端子ＯＵＴ２がＬＯＷレベルなので、第２のミュート回路ＭＵＴＥ２がオフとなり、ヘッドホン用アンプＩＣ２からオーディオ信号が出力されてヘッドホンジャックＨＪ１の出力端子にオーディオ信号が供給され、ヘッドホンから音声が出力される。
【００２８】
以上の動作説明にて解るように、ヘッドホンジャックＨＪ１のスイッチ端子３は、ヘッドホンジャックＨＪ１にヘッドホンのプラグが挿入されているか否かを検知するヘッドホン挿入検知部を構成している。また、コントロールブロックＣＢは、このヘッドホン挿入検知部（スイッチ端子３）の検知信号に基づいてスピーカ用アンプＩＣ１とヘッドホン用アンプＩＣ２のミュート状態を制御するミュート制御部を構成している。
【００２９】
このように、本実施例のヘッドホン検知回路においては、コントロールブロックＣＢ（ミュート制御部）は、ヘッドホンジャックＨＪ１にヘッドホンのプラグが挿入されているときは、その検知信号に基づいてスピーカ用アンプＩＣ１をミュート状態にすると共にヘッドホン用アンプＩＣ２を非ミュート状態にして、ヘッドホンジャックＨＪ１にヘッドホンのプラグが挿入されていないときは、検知信号に基づいてスピーカ用アンプＩＣ１を非ミュート状態にすると共にヘッドホン用アンプＩＣ２をミュート状態にする。このようにして、ヘッドホンの未使用時にヘッドホン用アンプＩＣ２をミュート状態にすることで、消費電力の削減を図るとともにＤＣカット用のキャパシタＣ１の劣化を抑制することができる。
【００３０】
また、本実施例のヘッドホン検知回路においては、ヘッドホン挿入検知部として、ヘッドホンジャックＨＪ１に設けられたオーディオ信号切り替えスイッチ端子３を用いている。これにより、ヘッドホンジャックＨＪ１を、内部回路や端子数の少ないものとすることができ小型化を図ることができる。
【００３１】
なお、本実施例のミュート回路は、アンプの入力側に接続されているが、アンプの出力側に接続されてもよい。本実施例のようにアンプの入力側に接続する場合にはトランジスタにて構成することができるが、アンプの出力側に接続する場合には例えばメカニカル接点を備えるリレーを用いる。
【００３２】
実施例２．
図３はこの発明の実施例２のヘッドホン検知回路の回路図である。図３のヘッドホン検知回路において、ヘッドホンジャックＨＪ２として図１と同様のプラグ検知端子付きヘッドホンジャックが用いられている。ヘッドホンジャックＨＪ２には、その内部にオーディオ信号を出力してヘッドホンを駆動するためのグランド端子４及び出力端子５の他に、ヘッドホンのプラグが挿入されているか否かの検知信号を得るための第１のプラグ検知端子６及び第２のプラグ検知端子７が設けられている（ヘッドホンプラグ挿入検知部）。第１のプラグ検知端子６及び第２のプラグ検知端子７は、内部のメカニカルなスイッチから延出されてプラグの抜き差しによりオン・オフする。
【００３３】
ヘッドホン用アンプＩＣ２の出力はＤＣカット用のキャパシタＣ１を介してヘッドホンジャックＨＪ２の出力端子５に接続されている。また、ヘッドホンジャックＨＪ２の第２のプラグ検知端子７は、プルアップ抵抗Ｒ２と、コントロールブロックＣＢ０の入力端子ＩＮに接続されている。その他の構成は実施例１と同様である。
【００３４】
本実施例のヘッドホン検知回路においては、ヘッドホンジャックを小型化する効果はみこめないが、その他は実施例１と同様の効果を得ることができる。また、ヘッドホン挿入の検知信号として、第１のプラグ検知端子６及び第２のプラグ検知端子７からの信号を用いるので回路設計が容易であるとともに動作が安定する。
【産業上の利用可能性】
【００３５】
この発明にかかるヘッドホン検知回路は、スピーカとヘッドホンを駆動するアンプをそれぞれ備える装置に適用することができる。
【図面の簡単な説明】
【００３６】
【図１】従来提案されているヘッドホン検知回路の回路図である。
【図２】この発明の実施例１のヘッドホン検知回路の回路図である。
【図３】この発明の実施例２のヘッドホン検知回路の回路図である。
【符号の説明】
【００３７】
１，４  グランド端子
２，５  出力端子
３  オーディオ信号切り替えスイッチ端子（ヘッドホン挿入検知部）
６  第１のプラグ検知端子（ヘッドホン挿入検知部）
７  第２のプラグ検知端子（ヘッドホン挿入検知部）
ＩＣ１  スピーカ用アンプ
ＩＣ２  ヘッドホン用アンプ
ＣＢ  コントロールブロック（ミュート制御部）
ＨＪ１，ＨＪ２  ヘッドホンジャック
【図１】
2007312030.tif 000003
【図２】
2007312030.tif 000004
【図３】
2007312030.tif 000005